(57)【特許請求の範囲】
【請求項１】
内部に駆動モーターが内装され、一側に駆動モーターの駆動の時回転する回転軸が突出された回転工具に結合される長さ調節可能なアダプターにおいて、
一側に前記回転工具の回転軸が貫通される貫通孔が備えられて前記回転工具の一側に結合される結合部材と、前記結合部材の他側に形成される支持部材とを含む本体部と、
一側が前記支持部材に引出可能に結合され、他側に交替可能な作業部材が結合される回転軸が形成される可変部と、
前記本体部の上部に配置され、前記回転工具の回転軸に結合される駆動プーリーと、
前記可変部の回転軸に結合される従動プーリーと、
前記駆動プーリーと従動プーリーとの間に締結されて、前記回転工具に突出された回転軸の回転の時前記従動プーリーを回転させるベルトと、を含み、
前記駆動プーリーまたは従動プーリーの中の少なくとも何れか一つは回転軸に結合され、上面に結合軸が形成される円板状のハブと、
前記ハブの上面に相互離間して結合される第１ベルト接触部材と、
前記結合軸に離間され、前記第１ベルト接触部材の間にスライディング可能に配置される第２ベルト接触部材と、
前記第２ベルト接触部材と前記ハブとの間に結合される弾性部材と、
前記第１ベルト接触部材の上部に結合され、リング状のカバー部材と、
前記結合軸に結合されて前記第２ベルト接触部材を加圧する張力調節部材と、で構成され、
前記結合軸に結合される前記張力調節部材の位置によって、前記結合軸と前記第２ベルト接触部材との間の隔離距離が変動されることを特徴とする長さ調節可能なアダプター。
【請求項２】
前記支持部材の一側には挿入チャンネルが陥没形成され、前記可変部の一側には、前記挿入チャンネルの形状に対応される形状に形成されて、前記挿入孔に引出可能に結合される挿入ロッドが形成されることを特徴とする請求項１に記載の長さ調節可能なアダプター。
【請求項３】
前記支持部材には固定具が結合されることができるように、前記挿入孔に連通される締結孔が形成され、
前記挿入ロッドの一側面には前記締結孔に結合される固定具の端部が挿入される複数の係止溝が形成されることを特徴とする請求項２に記載の長さ調節可能なアダプター。
【請求項４】
前記支持部材に形成される前記挿入チャンネルと締結孔は複数が形成されることを特徴とする請求項３に記載の長さ調節可能なアダプター。
【請求項５】
前記可変部の一側には前記作業部材の回転の時、被作業対象物の飛散を防止する保護カバーが着脱可能に設置されることを特徴とする請求項１に記載の長さ調節可能なアダプター。
【請求項６】
前記結合部材の一側には第１ハンドル結合部材が形成され、前記支持部材の一側には第２ハンドル結合部材が形成されて、前記第１ハンドル結合部材または第２ハンドル結合部材に選択的にハンドルを結合させることを特徴とする請求項１に記載の長さ調節可能なアダプター。
【請求項７】
前記第２ハンドル結合部材に結合されるハンドルは前記可変部の回転軸に平行に設置されることを特徴とする請求項５に記載の長さ調節可能なアダプター。
【請求項８】
前記結合部材の一側には前記駆動プーリーに結合されたベルトが外部に露出されないように安全カバーが形成されることを特徴とする請求項１または４に記載の長さ調節可能なアダプター。
【請求項９】
前記駆動プーリーと従動プーリーの前記ベルトと当接する面には、前記駆動プーリーの回転の時、前記ベルトの滑りを防止する凹凸部が形成され、前記ベルトには前記凹凸部に挿入される複数の突起が形成されることを特徴とする請求項１に記載の長さ調節可能なアダプター。
【請求項１０】
前記第２ベルト接触部材と当接する前記ハブには長孔が形成され、前記弾性部材の一側は前記ハブの下部中央側に結合され、前記弾性部材の他側は前記長孔を貫通して前記第２ベルト接触部材の下部と結合され、前記第２ベルト接触部材の下部には前記長孔に挿入される突出されたガイド部材が形成されることを特徴とする請求項１に記載の長さ調節可能なアダプター。
【請求項１１】
前記作業部材は木材カッター、石材カッター、鉄材カッター、掃除用ブラシまたは光沢用ブラシの中の何れか一つであることを特徴とする請求項１に記載の長さ調節可能なアダプター。
【請求項１２】
内部に駆動モーターが内装され、一側に駆動モーターの駆動の時回転する回転軸が突出された回転工具と、
一側に前記回転工具の回転軸が貫通される貫通孔が備えられて、前記回転工具の一側に結合される結合部材と、前記結合部材の他側に形成される支持部材とを含む本体部と、
一側が前記支持部材に引出可能に結合され、他側に交替可能な作業部材が結合される回転軸が形成される可変部と、
前記本体部の上部に配置され、前記回転工具の回転軸に結合される駆動プーリーと、
前記可変部の回転軸に結合される従動プーリーと、
前記駆動プーリーと従動プーリーとの間に締結されて、前記回転工具に突出された回転軸の回転の時前記従動プーリーを回転させるベルトと、
前記駆動プーリーまたは従動プーリーの中の少なくとも何れか一つは回転軸に結合され、上面に結合軸が形成される円板状のハブと、
前記ハブの上面に相互離間して結合される第１ベルト接触部材と、
前記結合軸に離間され、前記第１ベルト接触部材の間にスライディング可能に配置される第２ベルト接触部材と、
前記第２ベルト接触部材と前記ハブとの間に結合される弾性部材と、
前記第１ベルト接触部材の上部に結合され、リング状のカバー部材と、
前記結合軸に結合されて前記第２ベルト接触部材を加圧する張力調節部材と、で構成され、
前記結合軸に結合される前記張力調節部材の位置によって、前記結合軸と前記第２ベルト接触部材との間の隔離距離が変動されることを特徴とする長さ調節可能なアダプターを備えたマルチデバイス。
【発明の詳細な説明】
【技術分野】
【０００１】
本発明は回転工具を利用したマルチデバイスに関し、具体的には、回転工具に長さ調節可能に結合されたアダプターを利用したマルチデバイスに関する。
【背景技術】
【０００２】
一般的に、モーターが内装された回転工具は回転軸に切削刃などを直接締結して用いる。
【０００３】
従って、被作業対象が回転工具より大きかったり外部に突出された場合には、容易に作業を行うことができるが、回転工具に比べて規模が小さかったり、内部に陥没された構造の被作業対象である場合には容易に作業を行うことができないという問題点があった。
【発明の概要】
【発明が解決しようとする課題】
【０００４】
本発明による長さ調節可能なアダプターは次のような解決課題を目的とする。
【０００５】
第一に、陥没された構造または回転工具に比べて規模の小さい被作業対象物を容易に加工することができるアダプターを提供することを目的とする。
【０００６】
第二に、必要な長さだけ長さを伸長または短縮させることができるアダプターを提供することを目的とする。
【０００７】
第三に、作業の時、切削刃などが結合される可変部を堅固に固定させることができることによって、事故を予防することができるアダプターを提供することを目的とする。
【０００８】
第四に、切削刃などを回転させるために締結されるベルトの張力が変動する場合、変動するベルトの張力によって調節可能なアダプターを提供することを目的とする。
【０００９】
本発明の解決課題は以上で言及されたものなどに限定されず、言及されない他の解決課題は以下の記載から当業者に明確に理解され得る。
【課題を解決するための手段】
【００１０】
本発明による長さ調節可能なアダプターは、内部に駆動モーターが内装され、一側に駆動モーターの駆動の時、回転する回転軸が突出された回転工具に結合される長さ調節可能なアダプターを含むことが好ましい。
【００１１】
本発明によるアダプターは、一側に回転工具の回転軸が貫通される貫通孔が備えられて、回転工具の一側に結合される結合部材と、結合部材の他側に形成される支持部材とを含む本体部を含むことが好ましい。
【００１２】
本発明によるアダプターは、一側が支持部材に引出可能に結合され、他側に交替可能な作業部材が結合される回転軸が形成される可変部を含むことが好ましい。
【００１３】
本発明によるアダプターは、本体部の上部に配置され、回転工具の回転軸に結合される駆動プーリーと、可変部の回転軸に結合される従動プーリーとを含むことが好ましい。
【００１４】
本発明によるアダプターは、駆動プーリーと従動プーリーとの間に締結されて、回転工具に突出された回転軸の回転の時従動プーリーを回転させるベルトを含むことが好ましい。
【００１５】
本発明によるアダプターは、一側に挿入チャンネルが陥没形成される支持部材を含むことが好ましい。
【００１６】
本発明によるアダプターの支持部材には挿入チャンネルの形状に対応される形状に形成され、挿入孔に引出可能に結合される挿入ロッドが形成されることが好ましい。
【００１７】
本発明によるアダプターの支持部材には固定具が結合されることができるように、挿入孔に連通される締結孔が形成され、挿入ロッドの一側面には締結孔に結合される固定具の端部が挿入される複数の係止溝が形成されることが好ましい。
【００１８】
本発明によるアダプターの一構成である支持部材に形成される挿入チャンネルと締結孔は複数が形成されることが好ましい。
【００１９】
本発明によるアダプターの一構成である結合部材の一側には第１ハンドル結合部材が形成され、支持部材の一側には第２ハンドル結合部材が形成されて、第１ハンドル結合部材または第２ハンドル結合部材に選択的にハンドルを結合させることが好ましい。
【００２０】
本発明によるアダプターの一構成である可変部の一側には作業部材の回転の時被作業対象物の飛散を防止する保護カバーが着脱可能に設置されることが好ましい。
【００２１】
本発明によるアダプターの一構成である第２ハンドル結合部材に結合されるハンドルは可変部の回転軸に平行に設置されることが好ましい。
【００２２】
本発明によるアダプターの一構成である結合部材の一側には駆動プーリーに結合されたベルトが外部に露出されないように安全カバーが形成されることが好ましい。
【００２３】
本発明によるアダプターの一構成である駆動プーリーと従動プーリーのベルトと当接する面には、駆動プーリーの回転の時、ベルトの滑りを防止する凹凸部が形成され、ベルトには凹凸部に挿入される複数の突起が形成されることが好ましい。
【００２４】
本発明によるアダプターの一構成である駆動プーリーまたは従動プーリーの中の少なくとも何れか一つはハブ、第１ベルト接触部材、第２ベルト接触部材、弾性部材、カバー部材、張力調節部材を含むことが好ましい。
【００２５】
本発明によるアダプターは、上面に結合軸が形成される円板状のハブを含むことが好ましい。
【００２６】
本発明によるアダプターは、ハブの上面に相互離間して結合される第１ベルト接触部材を含むことが好ましい。
【００２７】
本発明によるアダプターは、結合軸に離間され、第１ベルト接触部材との間にスライディング可能に配置される第２ベルト接触部材を含むことが好ましい。
【００２８】
本発明によるアダプターは第２ベルト接触部材とハブとの間に結合される弾性部材を含むことが好ましい。
【００２９】
本発明によるアダプターは、第１ベルト接触部材の上部に結合され、リング状のカバー部材と、結合軸に結合されて第２ベルト接触部材を加圧する張力調節部材とを含むことが好ましい。
【００３０】
本発明によるアダプターの一構成である第２ベルト接触部材と当接するハブには長孔が形成されることが好ましい。
【００３１】
本発明によるアダプターの一構成である弾性部材の一側はハブの下部中央側に結合され、弾性部材の他側は長孔を貫通して第２ベルト接触部材の下部と結合され、第２ベルト接触部材の下部には長孔に挿入される突出されたガイド部材が形成されることが好ましい。
【００３２】
本発明によるアダプターの一構成である作業部材は、木材カッター、石材カッター、鉄材カッター、掃除用ブラシまたは光沢用ブラシの中の何れか一つであることが好ましい。
【００３３】
本発明によるアダプターを備えたマルチデバイスは、内部に駆動モーターが内装され、一側に駆動モーターの駆動の時回転する回転軸が突出された回転工具を含むことが好ましい。
【００３４】
本発明によるマルチデバイスは、一側に回転工具の回転軸が貫通される貫通孔が備えられて回転工具の一側に結合される結合部材を含むことが好ましい。
【００３５】
本発明によるマルチデバイスは結合部材の他側に形成される支持部材を含む本体部を含むことが好ましい。
【００３６】
本発明によるマルチデバイスは一側が支持部材に引出可能に結合され、他側に交替可能な作業部材が結合される回転軸が形成される可変部を含むことが好ましい。
【００３７】
本発明によるマルチデバイスは、本体部の上部に配置され、回転工具の回転軸に結合される駆動プーリーと、可変部の回転軸に結合される従動プーリーと含むことが好ましい。
【００３８】
本発明によるマルチデバイスは、駆動プーリーと従動プーリーとの間に締結されて、回転工具に突出された回転軸の回転の時従動プーリーを回転させるベルトを含むことが好ましい。
【発明の効果】
【００３９】
本発明による長さ調節可能なアダプターは回転工具の一側に結合される本体部に、切削刃などのような工具が締結される可変部を長さ調節可能に締結することによって、被作業対象物の状態によって長さを調節して被作業対象物を容易に加工することができるという效果を奏する。
【００４０】
また、本体部に長さ調節可能に結合される可変部に係止溝を形成し、本体部に係止溝に挿入される固定具を設置して可変部を堅固に固定させることができるという效果を奏する。
【００４１】
また、駆動プーリーまたは従動プーリーの直径を変更可能に構成することによって締結されるベルトの張力が変動される場合、変動されるベルトの張力によって駆動プーリーまたは従動プーリーの直径を調節することができるという效果を奏する。
【００４２】
本発明の效果は以上で言及されたものなどに限定されず、言及されない他の效果は以下の記載によって当業者に明確に理解され得る。
【図面の簡単な説明】
【００４３】
【図１】本発明の一実施形態による長さ調節可能なアダプターの分解斜視図である。
【図２】本発明の一実施形態による長さ調節可能なアダプターの可変部と支持部材の拡大斜視図である。
【図３】本発明の一実施形態による駆動プーリーと従動プーリーの分解斜視図である。
【図４】図３に示された駆動プーリーと、従動プーリーの断面図である。
【発明を実施するための形態】
【００４４】
本発明による長さ調節可能なアダプターは、内部に駆動モーターが内装され、一側に駆動モーターの駆動の時回転する回転軸が突出された回転工具に結合される長さ調節可能なアダプターにおいて、一側に回転工具の回転軸が貫通される貫通孔が備えられて、回転工具の一側に結合される結合部材と、結合部材の他側に形成される支持部材とを含む本体部と、一側が支持部材に引出可能に結合され、他側に交替可能な作業部材が結合される回転軸が形成される可変部と、本体部の上部に配置され、回転工具の回転軸に結合される駆動プーリーと、可変部の回転軸に結合される従動プーリーと、駆動プーリーと従動プーリーとの間に締結され、回転工具に突出された回転軸の回転の時、従動プーリーを回転させるベルトとを含む。
《実施形態》
以下では、図面を参照して本発明による長さ調節可能なアダプター及びこれを備えたマルチデバイスについて具体的に説明する。
【００４５】
図１は本発明の長さ調節可能なアダプターの一実施形態の分解斜視図である。
【００４６】
図１に示すように、本発明によるアダプターは、内部に駆動モーターが内装され、一側に駆動モーターの駆動の時回転する回転軸１１０が突出された回転工具１００に結合されるもので、本体部２００、可変部３００、駆動プーリー４００、従動プーリー５００及びベルト６００を含む。
【００４７】
本体部２００は一側に回転工具１００の回転軸１１０が貫通される貫通孔２１１が備えられて、回転工具の一側に結合される結合部材２１０と、結合部材２１０の他側に形成される支持部材２２０とを含む。
【００４８】
可変部３００は一側が支持部材２２０に引出可能に結合され、他側に交替可能な作業部材が結合される回転軸３１０が形成される。
【００４９】
駆動プーリー４００は本体部２００の上部に配置され、回転工具１００の回転軸１１０に結合される。
【００５０】
従動プーリー５００は可変部３００の回転軸３１０に結合される。
【００５１】
ベルト６００は駆動プーリー４００と従動プーリー５００との間に締結される。従って、回転工具１００に突出された回転軸１１０の回転の時従動プーリー５００を回転させる。
【００５２】
回転工具１００は一側に駆動モーターによって回転する回転軸１１０が形成される。
【００５３】
回転工具１００はグラインダー、円形電動鋸のような切削工具及びドリルのような貫通工具などを含むことができる。しかし、本実施形態ではより明確に説明するために回転工具の中のグラインダーを例に挙げて説明する。
【００５４】
本体部２００は回転工具に結合されて可変部３００を支持する。
【００５５】
本体部２００は結合部材２１０と延長部材２２０とで構成される。
【００５６】
結合部材２１０は一側に回転工具１００の回転軸１１０が貫通される貫通孔２１１が備えられて回転工具１００に結合され、延長部材２２０は結合部材２１０の他側に形成される。
【００５７】
貫通孔２１１の側面には回転軸１１０が形成された回転工具１００の回転部１１１と結合される安全カバー２１３が形成される。
【００５８】
支持部材２２０は可変部３００が結合されるもので、本体部２００の他側に延長形成される。
【００５９】
可変部３００は支持部材２２０の他側で引出可能に結合される。
【００６０】
可変部３００の一側には支持部材２２０に引出可能に結合される挿入ロッド３２０が形成され、他側には回転軸３２０が形成される。
【００６１】
回転工具１００の回転軸１１０には、図１に示すように、駆動プーリー４００が結合され、可変部３００の回転軸３１０には従動プーリー５００が結合される。
【００６２】
駆動プーリー４００と従動プーリー５００との間にはベルト６００が締結される。従って、ベルト６００は回転工具１００の駆動モーターの回転の時回転工具１００の回転軸１１０の回転力を従動プーリー５００に伝達する機能をする。
【００６３】
従動プーリー５００が結合される回転軸３１０には木材カッター、石材カッター、鉄材カッター、掃除用ブラシまたは光沢用ブラシなどで構成される作業部材８００が結合される。
【００６４】
従って、可変部３００の回転軸３１０が、従動プーリー５００が回転する場合従動プーリー５００に従って回転するようになり、回転軸３１０に結合された作業部材８００は回転することになる。
【００６５】
可変部３００の一側には、図１に示すように、作業部材８００の回転の時被作業対象物の飛散を防止する保護カバー３３０が着脱可能に設置される。
【００６６】
保護カバー３３０は木材、石材または鉄材などの加工作業の時飛散される被作業対象物の切削された切れ端が使用者の方向に飛散されることを防止する。
【００６７】
このような保護カバー３３０は、図１に示すように、挿入ロッド３２０の一側面に固定具を利用して分離可能に結合することもできる。また、保護カバー３３０は可変部３００の回転軸３１０が設置する部分の下部または側部に分離可能に結合することもできる。
【００６８】
本実施形態での保護カバー３３０は半円形状に形成されたが、必ずこのような形状に限定されるのではない。即ち、保護カバー３３０は作業部材８００の回転の時被作業対象物の飛散を防止する如何なる形態に変形されても構わない。
【００６９】
図２を参照して可変部と支持部材をより具体的に説明すれば下記の通りである。
【００７０】
支持部材２２０の一側には、図２に示すように、挿入チャンネル２２１が陥没形成される。
【００７１】
可変部３００の一側には挿入チャンネル２２１の形状に対応される形状に形成されて、挿入孔２２１に引出可能に結合される挿入ロッド３２０が形成される。
【００７２】
挿入チャンネル２２１は挿入ロッド３２０が挿入されるもので、支持部材２２０の一側から内側方向に形成される。
【００７３】
このような挿入チャンネル２２１は円形断面に形成されてもよいが、図２に示すように、多角形の断面に形成されてもよい。
【００７４】
挿入チャンネル２２１が円形断面を有する挿入チャンネルが形成される場合、挿入チャンネル２２１に形成される挿入ロッド３２０は円筒状の柱形状に形成され、挿入チャンネル２２１が多角形断面に形成される場合、挿入チャンネル２２１に形成された挿入ロッド３２０は多角形の断面に形成される。
【００７５】
挿入チャンネル２２１の断面が円形に形成される場合、挿入チャンネル２２１に挿入される挿入ロッド３２０は挿入チャンネル２２１に挿入ロッド３２０が挿入されて、挿入チャンネル２２１の内部で回転することができる。従って、挿入チャンネル２２１と挿入ロッド３２０は多角形断面を有することが好ましい。
【００７６】
このような支持部材２２０には固定具２２２ａが結合されることができるように、挿入チャンネル２２１に連通される締結孔２２２が形成することができ、この時、挿入ロッド３２０の一側面には締結孔２２２に結合される固定具２２２ａの端部が挿入されることができるように複数の係止溝３２１が形成されることができる。
【００７７】
固定具２２２ａは作業の時挿入ロッド３２０が挿入チャンネル２２１上で離脱されることを防止するもので、図２に示すように、支持部材２２０の上面に形成されて挿入チャンネル２２１に連通される締結孔２２２に結合される。
【００７８】
このような締結孔２２２は、図２に示すように、支持部材２２０の上面に形成されてもよい。また、挿入ロッド３２０をより安定的に支持部材２２０に固定させるために締結孔２２２は複数形成されることもできる。
【００７９】
挿入ロッド３２０の一側面には締結孔２２２に結合される固定具２２２ａの端部が挿入されることができるように係止溝３２１が形成される。
【００８０】
このような係止溝３２１は、図２に示すように、挿入ロッド３２０上に複数が離間されて形成される。従って挿入ロッド３２０が挿入チャンネル２２１に挿入される時固定具２２２ａが挿入される係止溝３２１の位置を選択することができるようにして挿入ロッド３２０の長さを調節することができる。
【００８１】
挿入ロッド３２０が挿入される挿入チャンネル２２１は、図２に示すように、支持部材２２０に一つだけ形成してもよい。また、支持部材に２２０に挿入チャンネル２２１が複数設置されてもよい。
【００８２】
挿入チャンネル２２１が、複数が設置される場合、挿入ロッド３２０が設置される位置を変更させることができるという長所があり、複数の挿入チャンネル２２１の中の一つの挿入チャンネルが損傷される場合にも挿入チャンネル２２１の位置を変更させて挿入ロッド３２０を設置して使うことができる。
【００８３】
本発明によるアダプターには、図１に示すように、結合部材２１０の一側にはハンドル７００が結合される第１ハンドル結合部材２１２が形成される。
【００８４】
また、支持部材２２０の一側には第２ハンドル結合部材２２３が形成されて、第１ハンドル結合部材２１２または第２ハンドル結合部材２２３に選択的にハンドル７００を締結させることができる。
【００８５】
このような第１ハンドル結合部材２１２と第２ハンドル結合部材２２３は使用者が長さ調節可能なアダプターを用いて作業する環境によってハンドルを移しながら使用することができるようにする。
【００８６】
このようなハンドル結合部材の中で、第２ハンドル結合部材２２３に結合されるハンドル７００が可変部３００の回転軸３１０に平行に設置される場合、使用者は片手で回転工具を把持し、作業部材を使用者の体の中央側に向けるようにして使うことができる便利な長所がある。
【００８７】
従って第２ハンドル結合部材２２３は結合されるハンドルが可変部３００の回転軸に平行に設置されることができるように形成することが好ましい。
【００８８】
また、図１に示すように、結合部材２１０の一側には駆動プーリー４００に結合されたベルトが外部に露出されないように安全カバー２１３が形成される。
【００８９】
安全カバー２１３は駆動プーリー４００と従動プーリー５００との間に締結されたベルト６００が使用者の方向に露出されて発生される事故を防止する。このような安全カバー２１３は回転工具１００の回転軸１１０に結合される駆動プーリー４００の一部形状に対応される「Ｃ」字状に形成されることが好ましい。
【００９０】
本発明によるベルト６００の内側面には相互離間された複数の突起６１０を形成することができ、駆動プーリー４００と従動プーリー５００のベルト６００と当接する面には突起６１０が挿入される凹凸部４１０、５１０が形成される。
【００９１】
図３は本発明の一実施形態である長さ調節可能なアダプターに用いられる駆動プーリー４００と従動プーリー５００の分解斜視図で、重複を避けるために同一構成に対する符号を図３に同じく表記した。
【００９２】
図３に示されたプーリーを、駆動プーリー４００を基準に説明すれば、駆動プーリー４００はハブ４２０、第１ベルト接触部材４３０、５３０、第２ベルト接触部材４４０、５４０、弾性部材４５０、５５０、カバー部材４６０、５６０及び張力調節部材４６０、５６０で構成される。
【００９３】
ハブ（ｈｕｂ）４２０は円板状に形成され、上面には結合軸４２１が形成されて回転工具の回転軸１１０に結合される。
【００９４】
第１ベルト接触部材４３０、５３０はハブ４２０の上面に相互離間して結合される。
【００９５】
第２ベルト接触部材４４０、５４０は結合軸４２１、５２１に離間され、第１ベルト接触部材４３０、５３０の間にスライディング可能に配置される。
【００９６】
弾性部材４５０、５５０は第２ベルト接触部材４４０、５４０とハブ４２０、５２０と間に結合される。
【００９７】
張力調節部材４６０、５６０は第１ベルト接触部材４３０、５３０の上部に結合され、リング状のカバー部材４６０、５６０と、結合軸４２１、５２１に結合されて第２ベルト接触部材４４０、５４０を加圧する。
【００９８】
ハブ４２０は回転軸に結合される部分で、図３の断面図である図４に示すように円板状に形成される。このようなハブ４２０の下部には回転軸に結合されることができるように円筒状の固定部材が形成される。
【００９９】
ハブ４２０の上面中央には、図３に示すように、結合軸４２１が形成され、結合軸４２１の周りに第１ベルト接触部材４３０と第２ベルト接触部材４４０が離間配置される。
【０１００】
第１ベルト接触部材４３０と第２ベルト接触部材４４０はベルト６００に当接するもので、第１ベルト接触部材４３０と第２ベルト接触部材４４０はリング状の一部を切開した形状に形成される。
【０１０１】
第１ベルト接触部材４３０と第２ベルト接触部材４４０の中の第１ベルト接触部材４３０はハブ４２０の上面に固定され、第２ベルト接触部材４４０はハブ４２０の上面に移動可能に結合される。
【０１０２】
第２ベルト接触部材４４０の結合軸４２１の方向の面は、図４に示すように、ハブ４２０の下部方向に傾斜を有して形成される。この時、弾性部材４５０はハブ４２０と第２ベルト接触部材４４０との間に結合される。
【０１０３】
カバー部材４６０は第１ベルト接触部材４４０の上面に結合されもので、環状に形成され、カバー部材４６０の上部中央には結合軸４２１が突出される。
【０１０４】
カバー部材４６０の上部中央に突出される結合軸４２１には第２ベルト接触部材４４０と当接する張力調節部材４７０が結合される。
【０１０５】
従って、第２ベルト接触部材４４０は張力調節部材４７０が結合軸４２１の下部に結合された場合、第２ベルト接触部材４４０を加圧して結合軸４２１の外部に移動する。
【０１０６】
反対に、張力調節部材４７０が結合軸４２１の上部に結合された場合、第２ベルト接触部材４４０は弾性部材４５０によって結合軸４２１の方向に移動する。
【０１０７】
第２ベルト接触部材４４０が移動することによって、ベルト６００と当接する駆動プーリー４００の面は増加または減少する。従って、第２ベルト接触部材４４０の移動方向及び位置によって駆動プーリー４００と従動プーリー５００との間に結合されたベルト６００の張力を調節することができる。
【０１０８】
このようなハブ４２０には、図３に示すように、第２ベルト接触部材４４０と当接する長孔４２２が形成される。この時、弾性部材４５０の一側はハブ４２０の下部中央側に結合され、弾性部材４５０の他側は長孔４２２、５２２を貫通して第２ベルト接触部材４４０の下部と結合される。
【０１０９】
第２ベルト接触部材４４０の下部には長孔４２２に挿入される突出されたガイド部材４４１が結合される。
【０１１０】
可変部３００に結合される従動プーリー５００は、図３に示すように、ハブ５２０、第１ベルト接触部材５３０、第２ベルト接触部材５４０、弾性部材５５０、カバー部材５６０及び張力調節部材５７０を含む。
【０１１１】
このような従動プーリー５００の構成は前述した駆動プーリー４００と同じであるので、これに対する説明は重複を避けるために省略する。
【０１１２】
本発明によるアダプターは、前述したように、駆動モーターが内装された回転工具と別途に実施することもでき、回転工具１００と一緒に実施することもできる。
【０１１３】
回転工具１００と同じように実施する場合、長さ調節可能なアダプターが備えられたマルチデバイスは回転工具１００、本体部２００、可変部３００、駆動プーリー４００、従動プーリー５００、ベルト６００を含む。
【０１１４】
回転工具１００は、内部に駆動モーターが内装され、一側に駆動モーターの駆動の時回転する回転軸１１０が突出形成される。
【０１１５】
本体部２００は結合部材２１０と支持部材２２０とで構成される。
【０１１６】
結合部材２１０は一側に回転工具１００の回転軸１１０が貫通される貫通孔２１１が備えられて回転工具の一側に結合され、支持部材２２０は結合部材２１０の他側に形成される。
【０１１７】
可変部３００は一側が支持部材２２０に引出可能に結合され、他側に交替可能な作業部材が結合される回転軸３１０が形成される。
【０１１８】
駆動プーリー４００は本体部２００の上部に配置され、回転工具１００の回転軸１１０に結合され、従動プーリー５００は可変部３００の回転軸３１０に結合される。
【０１１９】
このような従動プーリー５００と、駆動プーリー４００と従動プーリー５００との間には回転工具１００に突出された回転軸１１０の回転の時従動プーリー５００を回転させるベルト６００が締結される。
【０１２０】
このようなマルチデバイスの具体的構成は前述した通りであり、重複を避けるために説明を省略する。
【０１２１】
本明細書で説明される実施形態と添付図面は本発明に含まれる技術的思想の一部を例示的に説明したのに過ぎない。
【０１２２】
従って、本明細書に開示された実施形態は本発明の技術的思想を限定するためではなく説明するためのものであるので、このような実施形態によって本発明の技術思想の範囲が限定されるのではないことは自明である。本発明の明細書及び図面に含まれた技術的思想の範囲内で当業者が容易に類推することができる変形例または具体的な実施例は何れも本発明の権利範囲に含まれるものと解釈すべきである。
【符号の説明】
【０１２３】
１００：回転工具
１１０：回転軸
１１１：回転部
２００：本体部
２１０：結合部材
２１１：貫通孔
２１２：第１ハンドル結合部材
２１３：安全カバー
２２０：支持部材
２２１：挿入チャンネル
２２２：締結孔
２２２ａ：固定具
２２３：第２ハンドル結合部材
３００：可変部
３１０：回転軸
３２０：挿入ロッド
３２１：係止溝
３３０：保護カバー
４００：駆動プーリー
４１０：駆動プーリー凹凸部
５００：従動プーリー
５１０：従動プーリー凹凸部
６００：ベルト
６１０：突起
７００：ハンドル
８００：作業部材
【図１】
0005571191.tif 000002
【図２】
0005571191.tif 000003
【図３】
0005571191.tif 000004
【図４】
0005571191.tif 000005